(57)【特許請求の範囲】
【請求項１】
被写体に向けて照明光を発する発光部と、
撮影装置が動画撮影モードに設定されている場合に、動画の第１フレームについて、前記発光部が第１発光輝度で第１時間の発光をするように制御する第１制御と、前記第１制御の後に前記発光部が前記第１発光輝度よりも輝度が高い第２発光輝度で第２時間の発光をするように制御する第２制御とを行い、前記動画の第１フレームよりも後の動画の第２フレームについて、前記第１制御と、前記第２制御とを行う制御部とを含み、
前記第１発光輝度は、零よりも大きい輝度であることを特徴とする撮影用照明装置。
【請求項２】
被写体に向けて照明光を発する発光部と、
撮影装置が動画撮影モードに設定されている場合に、動画の第１フレーム及び前記動画の第１フレームよりも後の動画の第２フレームのそれぞれについて、前記発光部が第１発光輝度で第１時間の発光をするように制御する第１制御と、前記第１制御の後に前記発光部が前記第１発光輝度よりも輝度が高い第２発光輝度で第２時間の発光をするように制御する第２制御とを行う制御部とを含み、
前記第１発光輝度は、零よりも大きい輝度であることを特徴とする撮影用照明装置。
【請求項３】
請求項１又は請求項２に記載された撮影用照明装置であって、
前記第２時間は、前記第１時間よりも短いことを特徴とする撮影用照明装置。
【請求項４】
請求項１乃至請求項３の何れか１項に記載された撮影用照明装置であって、
前記動画の第１フレームにおける前記第１発光輝度は、前記動画の第２フレームにおける前記第１発光輝度と同一であり、
前記動画の第１フレームにおける前記第１時間は、前記動画の第２フレームにおける前記第１時間と同一であり、
前記動画の第１フレームにおける前記第２発光輝度は、前記動画の第２フレームにおける前記第２発光輝度と同一であり、
前記動画の第１フレームにおける前記第２時間は、前記動画の第２フレームにおける前記第２時間と同一であることを特徴とする撮影用照明装置。
【請求項５】
請求項１乃至請求項４の何れか１項に記載された撮影用照明装置であって、
前記制御部は、前記動画の第１フレームと前記動画の第２フレームとの間に備えられた電荷転送期間において、前記発光部が発光しないように制御することを特徴とする撮影用照明装置。
【請求項６】
請求項１乃至請求項５の何れか１項に記載された撮影用照明装置であって、
前記制御部は、前記動画の第２フレームよりも後の動画の第３フレームにおいて、前記発光部が前記第１発光輝度で前記第１時間の発光をするように制御する前記第１制御と、前記第１制御の後に前記発光部が前記第２発光輝度で前記第２時間の発光をするように制御する前記第２制御とを行うことを特徴とする撮影用照明装置。
【請求項７】
請求項１乃至請求項６の何れか１項に記載された撮影用照明装置であって、
前記制御部は、動画のフレームごとに前記第１制御及び前記第２制御を行う制御モードと、動画のフレームごとに発光輝度が徐々に高くなるように前記発光部を制御する制御モードとが可能であることを特徴とする撮影用照明装置。
【請求項８】
請求項１乃至請求項７の何れか１項に記載された撮影用照明装置を含むことを特徴とするカメラ。
【発明の詳細な説明】
【技術分野】
【０００１】
本発明は、撮影時に被写体を照明する照明装置に関する。
【背景技術】
【０００２】
撮影時に被写体を照明する照明装置において、発光体としてＬＥＤを備えるものが知られている（特許文献１参照）。特許文献１には、キセノンランプおよびＬＥＤを備えた照明装置が開示されており、キセノンランプから発せられるフラッシュ光の色温度を補正するために、赤色光を発するＬＥＤや青色光を発するＬＥＤを点灯させる技術が記載されている。ＬＥＤの発光量は、被写体距離や色温度補正量に応じて点灯（発光）時間を長くすることが図示（図４〜図６）されている。
【先行技術文献】
【特許文献】
【０００３】
【特許文献１】特開平１０−２０６９４２号公報
【発明の概要】
【発明が解決しようとする課題】
【０００４】
移動している被写体を撮影する場合に発光体を長く発光させると、照明された被写体が画面の中を流れるように撮影されてしまい、撮影画像を観察する者に違和感を与えてしまう。とくに、動画撮影のように１フレーム当たりのシャッター秒時を１／３０秒程度とし、複数フレームを連続して撮影する場合などには問題となりやすい。
【課題を解決するための手段】
【０００５】
請求項１に記載の撮影用照明装置は、被写体に向けて照明光を発する発光部と、撮影装置が動画撮影モードに設定されている場合に、動画の第１フレームについて、前記発光部が第１発光輝度で第１時間の発光をするように制御する第１制御と、前記第１制御の後に前記発光部が前記第１発光輝度よりも輝度が高い第２発光輝度で第２時間の発光をするように制御する第２制御とを行い、前記動画の第１フレームよりも後の動画の第２フレームについて、前記第１制御と、前記第２制御とを行う制御部とを含み、前記第１発光輝度は、零よりも大きい輝度であることを特徴とする。
請求項２に記載の撮影用照明装置は、被写体に向けて照明光を発する発光部と、撮影装置が動画撮影モードに設定されている場合に、動画の第１フレーム及び前記動画の第１フレームよりも後の動画の第２フレームのそれぞれについて、前記発光部が第１発光輝度で第１時間の発光をするように制御する第１制御と、前記第１制御の後に前記発光部が前記第１発光輝度よりも輝度が高い第２発光輝度で第２時間の発光をするように制御する第２制御とを行う制御部とを含み、前記第１発光輝度は、零よりも大きい輝度であることを特徴とする。
請求項３に記載の発明は、請求項１又は請求項２に記載された撮影用照明装置であって、前記第２時間は、前記第１時間よりも短いことを特徴とする。
請求項４に記載の発明は、請求項１乃至請求項３の何れか１項に記載された撮影用照明装置であって、前記動画の第１フレームにおける前記第１発光輝度は、前記動画の第２フレームにおける前記第１発光輝度と同一であり、前記動画の第１フレームにおける前記第１時間は、前記動画の第２フレームにおける前記第１時間と同一であり、前記動画の第１フレームにおける前記第２発光輝度は、前記動画の第２フレームにおける前記第２発光輝度と同一であり、前記動画の第１フレームにおける前記第２時間は、前記動画の第２フレームにおける前記第２時間と同一であることを特徴とする。
請求項５に記載の発明は、請求項１乃至請求項４の何れか１項に記載された撮影用照明装置であって、前記制御部は、前記動画の第１フレームと前記動画の第２フレームとの間に備えられた電荷転送期間において、前記発光部が発光しないように制御することを特徴とする。
請求項６に記載の発明は、請求項１乃至請求項５の何れか１項に記載された撮影用照明装置であって、前記制御部は、前記動画の第２フレームよりも後の動画の第３フレームにおいて、前記発光部が前記第１発光輝度で前記第１時間の発光をするように制御する前記第１制御と、前記第１制御の後に前記発光部が前記第２発光輝度で前記第２時間の発光をするように制御する前記第２制御とを行うことを特徴とする。
請求項７に記載の発明は、請求項１乃至請求項６の何れか１項に記載された撮影用照明装置であって、前記制御部は、動画のフレームごとに前記第１制御及び前記第２制御を行う制御モードと、動画のフレームごとに発光輝度が徐々に高くなるように前記発光部を制御する制御モードとが可能であることを特徴とする。
請求項８に記載のカメラは、請求項１乃至請求項７の何れか１項に記載された撮影用照明装置を含むことを特徴とする。
【発明の効果】
【０００６】
本発明による撮影用照明装置やカメラでは、カメラに設定されている露光時間内で発光輝度を変化させるようにしたので、移動している被写体を照明する照明光を長く発光させても、撮影画像を観察する者が違和感を感じないようにすることができる。
【図面の簡単な説明】
【０００７】
【図１】本発明の一実施の形態による電子カメラの要部構成を説明する図である。
【図２】ＬＥＤへ供給される駆動電流（発光輝度）と時間との関係、および撮像素子の電荷蓄積タイミングと時間との関係を説明する図である。
【図３】時系列に連続するフレームの撮影画像を例示する図である。
【図４】時系列に連続するフレームの撮影画像を例示する図である。
【図５】時系列に連続するフレームの撮影画像を例示する図である。
【図６】変形例においてＬＥＤへ供給される駆動電流（発光輝度）と時間との関係、および撮像素子の電荷蓄積タイミングと時間との関係を説明する図である。
【発明を実施するための最良の形態】
【０００８】
以下、図面を参照して本発明を実施するための最良の形態について説明する。図１は、本発明の一実施の形態による電子カメラの要部構成を説明する図である。図１において、電子カメラ１は、撮像レンズ１１と、撮像素子１２と、ＣＣＤドライバ１３と、ＣＰＵ１４と、ＬＥＤドライバ１５と、ＬＥＤ１６と、電源回路１７と、照明光レンズ１８と、レリーズスイッチ１９とを含む。
【０００９】
撮像レンズ１１は、撮像素子１２の撮像面上に被写体像を結像させる。撮像素子１２は、ＣＣＤイメージセンサやＣＭＯＳイメージセンサなどによって構成され、撮像面に入射されている光量に応じた電荷を画素単位で蓄積する。すなわち、撮像素子１２は被写体を撮像する。撮像素子１２に蓄積された電荷は、ＣＣＤドライバ（駆動回路）１３から供給されるタイミング信号に応じて不図示の画像処理回路へ送出（転送）され、画像処理回路によって所定の信号処理が施される。
【００１０】
ＣＣＤドライバ１３は、ＣＰＵ１４からの指令により上記撮像素子１２を駆動するタイミング信号を生成し、生成した駆動信号を撮像素子１２へ供給する。ＣＰＵ１４は、ＣＣＤドライバ１３を含む電子カメラ１内の各ブロックへ制御信号を送出し、電子カメラ１のカメラ動作を制御する。ＣＰＵ１４は、レリーズスイッチ１９から操作信号が入力されると、電子カメラ１に撮影動作を開始させるように構成されている。なお、電子カメラ１は、レリーズ操作信号が入力されると１回の撮影を行う静止画撮影モードと、レリーズ操作信号が入力されると所定のフレームレートで複数フレームの撮影を繰り返す動画撮影モードとを有する。
【００１１】
ＬＥＤドライバ（駆動回路）１５は、ＬＥＤ１６を発光させるための駆動電流を生成し、ＣＰＵ１４からの指令に応じて駆動電流をＬＥＤ１６へ供給する。ＬＥＤ１６は、いわゆる白色光を発するＬＥＤによって構成されている。周知のように、ＬＥＤはその定格範囲において駆動電流および発光強度（光パワー）間に比例関係を有する電流制御型デバイスである。ＣＰＵ１４によってＬＥＤドライバ１５からＬＥＤ１６へ供給される駆動電流の値が指示されることにより、ＬＥＤ１６から発せられる光量が制御される。
【００１２】
ＬＥＤ１６から発せられた光は、照明光レンズ１８を介して被写体方向へ射出され、主要被写体を照明する。電源回路１７は、電子カメラ１内の各ブロックへ必要な電力を供給する。
【００１３】
ＣＰＵ１４は、ＬＥＤ１６の発光が許可されている場合、ＬＥＤドライバ１５に対して撮影時にＬＥＤ１６を発光させるように指示する。ＬＥＤ１６の発光は以下の場合に許可される。
１．電子カメラ１が不図示の測光回路で検出される主要被写体の輝度に応じてＬＥＤ１６の発光要否を決定する「オートモード」に設定されている状態で、ＣＰＵ１４が発光要を決定した場合
２．電子カメラが上記主要被写体の輝度にかかわらずＬＥＤ１６を発光させる「強制発光モード」に設定されている場合
【００１４】
本発明は、ＬＥＤ１６を発光させるためにＬＥＤ１６へ供給する駆動電流に特徴を有する。
【００１５】
図２は、電子カメラ１が動画撮影モードに設定されている状態において、ＬＥＤ１６へＬＥＤドライバ１５から供給される駆動電流（発光輝度）と時間との関係、および撮像素子１２の電荷蓄積タイミングと時間との関係を説明する図である。図２において、駆動電流波形の横軸は時間を表し、駆動電流波形の縦軸は駆動電流を表す。また、電荷蓄積タイミング波形の横軸は時間を表し、電荷蓄積タイミング波形の縦軸は電荷蓄積／電荷転送状態を表す。
【００１６】
ＣＰＵ１４は、レリーズスイッチ１９からレリーズ操作信号が入力されると、たとえば、毎秒３０フレームのフレームレートで撮像を開始させる。この場合のシャッター秒時（撮像素子１２の電荷蓄積時間、露光時間）は、ＣＰＵ１４が不図示の測光回路で検出される被写体輝度、撮像素子１２に設定されている撮像感度（ＩＳＯ感度）を用いて周知の露出演算を行うことにより、絞り値とともに決定する。シャッター秒時は、上記フレームレート内に収まる範囲を上限にして、たとえば、１／６０秒より長く設定される。ＣＰＵ１４は、露出演算によって得られるシャッター秒時が１／６０秒より短い場合には、撮像素子１２の撮像感度（ＩＳＯ感度）を低下させることによって１／６０秒より長いシャッター秒時を確保する。
【００１７】
タイミングｔ０において、ＣＰＵ１４は撮像素子１２による電荷蓄積開始をＣＣＤドライバ１３へ指示するとともに、ＬＥＤ１６へ電流値ａの駆動電流を供給するようにＬＥＤドライバ１５へ指示する。
【００１８】
電荷蓄積を終了するタイミングｔ２より所定時間前のタイミングｔ１において、ＣＰＵ１４は、ＬＥＤ１６へ供給する駆動電流を電流値ａから電流値ｂへ増加させるようにＬＥＤドライバ１５へ指示する。これにより、ＬＥＤ１６による発光輝度がシャッター秒時（この場合はタイミングｔ０〜タイミングｔ２までの電荷蓄積時間）内でステップ状に増加する。すなわち、露光時間終了直前の所定時間内にタイミングｔ１からタイミングｔ２の発光時間が含まれる。
【００１９】
タイミングｔ２において、ＣＰＵ１４は撮像素子１２による電荷蓄積を終了させるとともに、撮像素子１２に蓄積された電荷の転送を行うようにＣＣＤドライバ１３へ指示する。ＣＰＵ１４はさらに、ＬＥＤ１６への電流供給を停止するようにＬＥＤドライバ１５へ指示する。これにより、非電荷蓄積時にＬＥＤ１６による発光が停止される。
【００２０】
上記の制御は、タイミングｔ０からタイミングｔ１までの時間（第１の発光時間）のＬＥＤ１６の発光輝度（第１の発光輝度）より、タイミングｔ０からタイミングｔ１までの時間（第１の発光時間）に連続するタイミングｔ１からタイミングｔ２までの時間（第２の発光時間）のＬＥＤ１６の発光輝度（第２の発光輝度）の方が高いことを示す。言い換えれば、発光開始時のＬＥＤ１６の発光輝度より発光終了時のＬＥＤ１６の発光輝度の方が高い。
【００２１】
電荷転送終了後に次フレームの撮像を開始するタイミングｔ３において、ＣＰＵ１４は撮像素子１２による電荷蓄積開始をＣＣＤドライバ１３へ指示するとともに、ＬＥＤ１６へ電流値ａの駆動電流を供給するようにＬＥＤドライバ１５へ指示する。以降同様に、撮像素子１２による電荷蓄積中にＬＥＤ１６の発光輝度を高めるように供給電流をステップ状に変化させ、撮像素子１２による電荷蓄積終了時にはＬＥＤ１６の発光を停止させる動作を繰り返す。
【００２２】
ＣＰＵ１４は、レリーズスイッチ１９からレリーズ操作信号が再び入力されると、その時点において撮像素子１２で行われているフレームの電荷蓄積および蓄積電荷の転送が終了すると、一連の動画撮影を終了する。
【００２３】
上述した１フレーム当たりのＬＥＤ１６の発光量は、上記露出演算時にＣＰＵ１４によって決定される。ＣＰＵ１４は、電流値ａが供給された状態でＬＥＤ１６が発する光の時間積算値、および電流値ｂが供給された状態でＬＥＤ１６が発する光の時間積算値の和が決定した１フレーム当たりの光量となるように、ＬＥＤ１６へ供給すべき電流値ａおよび電流値ｂを決定する。
【００２４】
ＬＥＤ１６の発光強度（輝度）と駆動電流の関係は、あらかじめ実測結果がテーブル化されＣＰＵ１４内の不揮発性メモリに格納されている。ＣＰＵ１４は発光強度（輝度）を引数として上記テーブルを参照して必要な駆動電流を決定し、この電流値をＬＥＤ１６へ供給するようにＬＥＤドライバ１５へ指示する。
【００２５】
以上説明した実施形態によれば、次の作用効果が得られる。
（１）動画撮影モードに設定され、ＬＥＤ１６の発光が許可されている電子カメラ１は、ＣＰＵ１４によって以下のように制御される。すなわち、撮影時にシャッター秒時を１／６０秒より長く設定し、撮像素子１２による電荷蓄積開始タイミングｔ０からタイミングｔ１まで電流値ａを供給してＬＥＤ１６を発光させ、タイミングｔ１から撮像素子１２による電荷蓄積終了タイミングｔ２まで電流値ｂ（ただしｂ＞ａ）を供給してＬＥＤ１６を発光させる。
【００２６】
これにより、主要被写体を照明する光量が電荷蓄積時間（露光時間）の途中でステップ状に増加する。この結果、移動する被写体を撮影する場合にタイミングｔ１からタイミングｔ２までに撮像される被写体像の輪郭が、タイミングｔ０からタイミングｔ１までに撮像される被写体像の輪郭よりはっきりするので、撮影画像の観察者にとって被写体が移動していることがわかりやすくなり、いわゆる後幕シンクロ撮影のように、違和感を抑えた画像が得られる。
【００２７】
図３〜図５は、時系列に連続するフレームの撮影画像を例示する図である。図３〜図５において、左から右方向へ移動する同一の被写体が、三脚などに固定された電子カメラ１で撮影されている。図３における像３１は、当該フレームにおいてタイミングｔ０からタイミングｔ１まで（照明光が低輝度状態）に撮像される被写体像に対応し、像３２は、タイミングｔ１からタイミングｔ２まで（照明光が高輝度状態）に撮像される被写体像に対応する。図４における像４１は、当該フレームにおいてタイミングｔ０からタイミングｔ１まで（照明光が低輝度状態）に撮像される被写体像に対応し、像４２は、タイミングｔ１からタイミングｔ２まで（照明光が高輝度状態）に撮像される被写体像に対応する。図５における像５１は、当該フレームにおいてタイミングｔ０からタイミングｔ１まで（照明光が低輝度状態）に撮像される被写体像に対応し、像５２は、タイミングｔ１からタイミングｔ２まで（照明光が高輝度状態）に撮像される被写体像に対応する。
【００２８】
もし、撮像素子１２の電荷蓄積時においてＬＥＤ１６の発光輝度を一定にして図３〜図５の場合と同様の撮影を行うと、撮影画像の観察者には各フレームにおける被写体像の輪郭が一定に観察されるので、当該フレームにおいて被写体の移動方向がわからなくなってしまう。これに対して本実施の形態では、撮像素子１２による電荷蓄積時において照明光の輝度を高めるように変化させることで、時間的に後から撮像される被写体像の輪郭がよりはっきりし、被写体の移動方向がわかるように撮影することができる。
【００２９】
（２）タイミングｔ０からタイミングｔ１まで（照明光が低輝度状態）の時間に比べて、タイミングｔ１からタイミングｔ２まで（照明光が高輝度状態）の時間を短くしたので、被写体像の輪郭をはっきりさせる部分を短くし、被写体像の中でより強調させることができる。これにより、上記（１）の作用効果を十分に発揮させることができる。
【００３０】
（３）シャッター秒時を１／６０秒より長く設定するように撮像素子１２の撮像感度を変更したので、被写体輝度が高めの場合にも上記（１）の撮影を行うことができる。
【００３１】
（変形例）
設定されているシャッター秒時に対応する露光時間の範囲において、ＬＥＤ１６による発光輝度を徐々に増加させるようにしてもよい。図６は、この場合にＬＥＤ１６へＬＥＤドライバ１５から供給される駆動電流（発光輝度）と時間との関係、および撮像素子１２の電荷蓄積タイミングと時間との関係を説明する図である。図６において、駆動電流波形の横軸は時間を表し、駆動電流波形の縦軸は駆動電流を表す。また、電荷蓄積タイミング波形の横軸は時間を表し、電荷蓄積タイミング波形の縦軸は電荷蓄積／電荷転送状態を表す。
【００３２】
ＣＰＵ１４は、レリーズスイッチ１９からレリーズ操作信号が入力された以降のタイミングｔ０において、撮像素子１２による電荷蓄積開始をＣＣＤドライバ１３へ指示するとともに、ＬＥＤ１６へ駆動電流の供給を開始するようにＬＥＤドライバ１５へ指示する。
【００３３】
ＬＥＤドライバ１５は、電荷蓄積を終了するタイミングｔ２においてＬＥＤ１６へ供給する駆動電流値が最大値ｃになるように、ＬＥＤ１６へ供給する駆動電流を徐々に増加させる。
【００３４】
タイミングｔ２において、ＣＰＵ１４は撮像素子１２による電荷蓄積を終了させるとともに、撮像素子１２に蓄積された電荷の転送を行うようにＣＣＤドライバ１３へ指示する。ＣＰＵ１４はさらに、ＬＥＤ１６への電流供給を停止するようにＬＥＤドライバ１５へ指示する。これにより、非電荷蓄積時にＬＥＤ１６による発光が停止される。
【００３５】
電荷転送終了後に次フレームの撮像を開始するタイミングｔ３において、ＣＰＵ１４は撮像素子１２による電荷蓄積開始をＣＣＤドライバ１３へ指示するとともに、ＬＥＤ１６へ駆動電流の供給を開始するようにＬＥＤドライバ１５へ指示する。以降同様に、撮像素子１２による電荷蓄積中にＬＥＤ１６の発光輝度を徐々に高めるように供給電流を徐々に変化させ、撮像素子１２による電荷蓄積終了時にはＬＥＤ１６の発光を停止させる動作を繰り返す。
【００３６】
このように、撮像素子１２による電荷蓄積時において照明光の輝度を徐々に高めるように変化させることで、各フレームにおける被写体像の輪郭が電荷蓄積時間（露光時間）の経過とともに徐々にはっきりするので、撮影画像の観察者に被写体の移動方向がわかるように撮影することができる。なお、この場合にも１フレーム当たりのＬＥＤ１６の発光量は上記露出演算時にＣＰＵ１４によって決定される。ＣＰＵ１４は、ＬＥＤ１６が発する光の時間積算値が決定した１フレーム当たりの光量となるように、ＬＥＤ１６へ供給すべき駆動電流の最大値ｃを決定する。
【００３７】
駆動電流の増加率は図６のように一定でなくてもよく、時間とともに増加率を変化させる構成にしてもよい。たとえば、発光開始タイミングｔ０からの経過時間をｔで表す場合に、ｔnやαtで示される（ただし、ｎ、αは定数）増加率でもよい。
【００３８】
また、設定されているシャッター秒時に対応する露光時間の範囲において、ＬＥＤ１６にパルス発光を繰り返し行わせて必要な発光光量を得るようにしてもよい。この場合には、撮像素子１２による電荷蓄積時において発光パルス列を構成する発光パルス幅（時間）を徐々に広げるＰＷＭ（パルス幅変調）制御を行うようにＬＥＤドライバ１５を構成し、このＬＥＤドライバ１５がＬＥＤ１６へパルス状の駆動電流を供給する。ＰＷＭ制御によって電荷蓄積時間（露光時間）の経過とともに照明光の発光密度が徐々に高められるので、各フレームにおける被写体像の輪郭は電荷蓄積時間（露光時間）の経過とともに徐々にはっきりする。この結果、撮影画像の観察者に被写体の移動方向がわかるように撮影することができる。
【００３９】
ＬＥＤ１６の発光開始タイミングは、撮像素子１２による電荷蓄積開始タイミングｔ０と必ずしも揃えなくてもよい。また、ＬＥＤ１６の発光終了タイミングは、撮像素子１２による電荷蓄積終了タイミングｔ２と必ずしも揃えなくてもよい。
【００４０】
以上の説明では、ＣＰＵ１４が露出演算時に１フレーム当たりのＬＥＤ１６の発光量を決定し、決定した発光量に基づいてＬＥＤ１６へ供給すべき駆動電流値を決定するようにした。この代わりに、ＬＥＤ１６による発光が開始された以降に調光素子（不図示）で検出される反射光の時間積分値をモニタし、時間積分値が所定の値に到達した場合にＬＥＤ１６への電流供給を停止させる構成にしてもよい。 
【００４１】
また、上述した説明では、ＬＥＤ１６へ供給する駆動電流を変化させて照明光の輝度を徐々に高めるようにした。ＬＥＤ１６が複数個のＬＥＤによって構成されている場合には、個々のＬＥＤに供給する電流値を増加させる代わりに、ＬＥＤ１つ当たりの発光輝度を変えないで同時に発光させるＬＥＤの数を増加させることによって照明光の輝度を高める構成としてもよい。なお、個々のＬＥＤに供給する電流値の増加と、同時に発光させるＬＥＤの数の増加とを組合わせてもよい。
【００４２】
電子カメラ１が動画撮影モードに設定されている場合を例に説明したが、シャッター秒時が、たとえば、１／３０秒より長く設定されている場合の静止画撮影モードにも本発明を適用できる。また、動画撮影専用のビデオカメラにも適用できる。
【００４３】
静止画撮影モードに着目する場合には、電子カメラに限らずフィルムカメラによる撮影時にも本発明を適用できる。
【００４４】
上記では、シャッター秒時を１／６０秒より長く設定し、その露光時間内でＬＥＤ１６の輝度を変化させる例を説明した。シャッター秒時が１／６０秒より短い場合には、ＬＥＤ１６の輝度を一定としてもよい。すなわち、シャッター秒時が１／６０秒以上の場合はＬＥＤ１６の輝度を変化させ、シャッター秒時が１／６０秒未満の場合はＬＥＤ１６の輝度を一定とするようにしてもよい。なお、シャッター秒時が１／６０秒未満とは、シャッタースピードがシャッター秒時１／６０より速いことである。
【００４５】
上記実施の形態では、ＬＥＤ１６による発光輝度を２段階でステップ状に増加させる方法と、上記変形例では、ＬＥＤ１６による発光輝度を徐々に増加させる方法を説明した。ＣＰＵ１４は、この２つの方法を切替え可能に制御するようにしてもよい。例えば、２つの方法を切替える切替えスイッチを設けたり、カメラのメニュー画面上で２つの方法のうち一つを選択できるようにしてもよい。
【００４６】
撮影用照明装置（ＬＥＤ１６およびＬＥＤドライバ１５）が電子カメラ１に内蔵される場合を例にあげて説明したが、撮影用照明装置をカメラ外付けタイプの装置として構成し、カメラと組み合わせて使用する場合にも本発明を適用できる。
【００４７】
上記では、種々の実施の形態および変形例を説明したが、本発明はこれらの内容に限定されるものではない。本発明の技術的思想の範囲内で考えられるその他の態様も本発明の範囲内に含まれる。
【００４８】
次の優先権基礎出願の開示内容は引用文としてここに組み込まれる。
日本国特許出願２００５年第０３８９２０号（２００５年２月１６日出願）
【図１】
0005673599.tif 000002
【図２】
0005673599.tif 000003
【図３】
0005673599.tif 000004
【図４】
0005673599.tif 000005
【図５】
0005673599.tif 000006
【図６】
0005673599.tif 000007